(57)【要約】【課題】  夜間作業時において作業装置の周囲を作業灯によって適正に照らすことができるようにする。【解決手段】  作業装置９を支持するスイングポスト１１の下側取付部１３に、作業灯支持具２０を介して作業灯１９を取付けることにより、スイングポスト１１が連結ピン１７を中心として左，右方向に揺動したときに、作業灯１９もスイングポスト１１と一緒に左，右方向に揺動する構成とする。これにより、作業灯１９をスイングポスト１１の揺動動作に確実に追従させることができるので、作業灯１９から照射される光によって、側溝掘り作業を行う作業装置９の周囲や掘削場所を確実に照らすことができ、夜間に側溝掘り作業等を行うときの作業性や安全性を高めることができる。【選択図】        図３
2006037362.tif 000002
【特許請求の範囲】
【請求項１】
自走可能な下部走行体と、該下部走行体上に旋回可能に搭載された上部旋回体と、該上部旋回体の前部側に左，右方向に揺動可能に設けられたスイングポストと、該スイングポストに俯仰動可能に設けられた作業装置とを備えてなる建設機械において、
前記スイングポストに前記作業装置の周囲を照らす作業灯を取付ける構成としたことを特徴とする建設機械。
【請求項２】
前記作業灯は前記スイングポストに対して上，下方向に揺動可能に取付ける構成としてなる請求項１に記載の建設機械。
【請求項３】
前記スイングポストは、前記上部旋回体の前部側に連結ピンを介して揺動可能に取付けられる取付部と、該取付部の左，右両側から前方に突出し前記作業装置の基端側が取付けられる左，右の側板部とにより構成し、
前記作業灯は前記左，右の側板部間に位置して取付ける構成としてなる請求項１または２に記載の建設機械。
【請求項４】
前記スイングポストは、前記上部旋回体の前部側に連結ピンを介して揺動可能に取付けられる取付部と、該取付部の左，右両側から前方に突出し前記作業装置の基端側が取付けられる左，右の側板部とにより構成し、
前記作業灯は前記左，右の側板部にそれぞれ取付ける構成としてなる請求項１または２に記載の建設機械。
【発明の詳細な説明】
【技術分野】
【０００１】
本発明は、例えば油圧ショベル等の建設機械に関し、特に作業装置を上部旋回体に対して左，右方向に揺動可能に支持するスイングポストを備えた建設機械に関する。
【背景技術】
【０００２】
一般に、建設機械としての油圧ショベルは、自走可能な下部走行体と、該下部走行体上に旋回可能に搭載された上部旋回体と、該上部旋回体の前部側に俯仰動可能に設けられた作業装置とにより大略構成され、この作業装置によって土砂等の掘削作業を行うものである。
【０００３】
ここで、この種の油圧ショベルには、通常、夜間作業時において作業装置による掘削場所や作業装置の周囲を明るく照らすための作業灯が装備されている。この場合、油圧ショベルに装備される作業灯は、掘削作業時に飛散してくる土砂等が衝突しない部位に設ける必要がある。
【０００４】
これに対し、運転室を画成するキャブの前部下面側にプロテクタを設け、該プロテクタ内に作業灯を収容することにより、掘削時の土砂等から作業灯を保護する構成となった油圧ショベルが提案されている（例えば、特許文献１参照）。
【０００５】
【特許文献１】実開平７−２０３５１号公報
【発明の開示】
【発明が解決しようとする課題】
【０００６】
ところで、例えば側溝等の掘削作業に好適に用いられる油圧ショベルとして、作業装置が上部旋回体に対して左，右方向に揺動可能となったスイング式の油圧ショベルがあり、このスイング式の油圧ショベルは、上部旋回体のベースとなる旋回フレームの前端側に、スイングシリンダによって左，右方向に揺動するスイングポストが設けられ、作業装置はこのスイングポストに支持されることにより、上部旋回体に対して左，右方向に揺動する構成となっている。
【０００７】
しかし、上述した特許文献１による油圧ショベルは、作業灯がキャブの前部下面側に取付けられているため、仮にスイング式の油圧ショベルに特許文献１の作業灯を適用した場合には、上部旋回体に対して作業装置を左，右方向に揺動させると、作業灯からの光が照射される範囲から作業装置が外れてしまう。これにより、掘削場所や作業装置の周囲を作業灯からの光によって適正に照らすことができず、夜間時に側溝掘り作業を行うときの作業性が低下してしまうという問題がある。
【０００８】
本発明は上述した従来技術の問題に鑑みなされたもので、夜間作業時において作業装置の周囲を常に適正に照らすことができるようにした建設機械を提供することを目的としている。
【課題を解決するための手段】
【０００９】
上述した課題を解決するため本発明は、自走可能な下部走行体と、該下部走行体上に旋回可能に搭載された上部旋回体と、該上部旋回体の前部側に左，右方向に揺動可能に設けられたスイングポストと、該スイングポストに俯仰動可能に設けられた作業装置とを備えてなる建設機械に適用される。
【００１０】
そして、請求項１の発明が採用する構成の特徴は、スイングポストに作業装置の周囲を照らす作業灯を取付けたことにある。
【００１１】
請求項２の発明は、作業灯はスイングポストに対して上，下方向に揺動可能に取付ける構成としたことにある。
【００１２】
請求項３の発明は、スイングポストは、上部旋回体の前部側に連結ピンを介して揺動可能に取付けられる取付部と、該取付部の左，右両側から前方に突出し作業装置の基端側が取付けられる左，右の側板部とにより構成し、作業灯は左，右の側板部間に位置して取付ける構成としたことにある。
【００１３】
請求項４の発明は、スイングポストは、上部旋回体の前部側に連結ピンを介して揺動可能に取付けられる取付部と、該取付部の左，右両側から前方に突出し作業装置の基端側が取付けられる左，右の側板部とにより構成し、作業灯は左，右の側板部にそれぞれ取付ける構成としたことにある。
【発明の効果】
【００１４】
請求項１の発明によれば、上部旋回体に対して左，右方向に揺動可能に設けられたスイングポストに作業灯を取付けたので、作業装置をスイングポストによって左，右方向に揺動させたときに、この作業装置の揺動動作に作業灯を追従させることができる。従って、例えば側溝掘り作業等を行うために作業装置を左，右方向に揺動させた場合でも、スイングポストに取付けた作業灯から照射される光によって作業装置の周囲や掘削場所を確実に照らすことができ、夜間に側溝掘り作業等を行うときの作業性や安全性を高めることができる。しかも、作業灯は、掘削される地面に近接したスイングポストに取付けられているので、作業灯の光を無駄なく掘削場所に向けて照射することができ、掘削場所の周囲を十分な光量をもって明るく照らすことができる。
【００１５】
請求項２の発明によれば、作業灯をスイングポストに対して上，下方向に揺動可能に取付けることにより、作業灯からの光の照射方向を上，下方向で任意に調整することができるので、例えば作業装置を用いて掘削作業を行う場合に、掘削場所を的確に照らすことができる。
【００１６】
請求項３の発明によれば、スイングポストを構成する左，右の側板部間に作業灯を配置する構成としたので、例えば作業装置を用いて掘削作業を行う場合に、作業装置から落下した土砂等が作業灯に衝突するのをスイングポストの左，右の側板部によって阻止することができ、これら土砂等から作業灯を保護することができる。
【００１７】
請求項４の発明によれば、スイングポストを構成する左，右の側板部にそれぞれ作業灯を取付ける構成としたので、これら複数の作業灯から照射される光によって、作業装置の周囲や掘削場所等を広範囲に亘って照らすことができ、夜間に側溝掘り作業等を行うときの作業性や安全性を一層高めることができる。
【発明を実施するための最良の形態】
【００１８】
以下、本発明に係る建設機械の実施の形態をスイング式の油圧ショベルを例に挙げ、図１ないし図９を参照しつつ詳細に説明する。
【００１９】
まず、図１ないし図６は本発明の第１の実施の形態を示している。そして、図中の１はスイング式の油圧ショベルで、該油圧ショベル１は、自走可能なクローラ式の下部走行体２と、該下部走行体２上に旋回可能に搭載された上部旋回体３とにより大略構成され、上部旋回体３の前部側には後述の作業装置９が設けられている。
【００２０】
そして、上部旋回体３は、下部走行体２の車幅とほぼ等しい左，右方向の幅寸法を有し、上方からみてほぼ円形状に形成されている。これにより、油圧ショベル１は、上部旋回体３が下部走行体２上で旋回したときに、後述するカウンタウエイト７の後面がほぼ下部走行体２の車幅内に収まる後方小旋回型の油圧ショベルとして構成されている。
【００２１】
ここで、上部旋回体３は、ベースとなる旋回フレーム４を有し、該旋回フレーム４は図３に示すように、厚肉な鋼板等により形成された平板状の底板４Ａ、該底板４Ａ上に立設され前，後方向に延びた左，右の縦板４Ｂ（左側のみ図示）、これら左，右の縦板４Ｂの前部上端側に固着され底板４Ａと上，下方向で対面した上板４Ｃ等により強固な支持構造体を構成している。
【００２２】
そして、上板４Ｃの前端側下面には、後述する連結ピン１７の上端側が挿嵌される円筒状の上側ボス部４Ｄが設けられ、底板４Ａの前端側上面には、連結ピン１７の下端側が挿嵌される円筒状の下側ボス部４Ｅが設けられている。
【００２３】
５は旋回フレーム４上に設けられた運転席で、該運転席５は運転者が着席するものである。そして、運転席５の上方はキャノピ６によって覆われている。また、旋回フレーム４の後部側にはカウンタウエイト７が設けられ、該カウンタウエイト７は、後述する作業装置９との重量バランスをとるものである。さらに、運転席５の周囲には外装カバー８が設けられ、該外装カバー８は、旋回フレーム４に搭載されたエンジン、油圧ポンプ等の機器類（いずれも図示せず）を覆うものである。
【００２４】
９は後述するスイングポスト１１を介して旋回フレーム４の前端側に設けられた作業装置で、該作業装置９は、図１に示すように、スイングポスト１１に俯仰動可能に取付けられたブーム９Ａと、該ブーム９Ａの先端部に俯仰動可能に取付けられたアーム９Ｂと、該アーム９Ｂの先端部に回動可能に取付けられたバケット９Ｃとによって大略構成されている。
【００２５】
また、スイングポスト１１とブーム９Ａとの間にはブームシリンダ９Ｄが設けられ、ブーム９Ａとアーム９Ｂとの間にはアームシリンダ９Ｅが設けられ、アーム９Ｂとバケット９Ｃとの間にはバケットシリンダ９Ｆが設けられている。そして、作業装置９は、ブームシリンダ９Ｄ、アームシリンダ９Ｅによってブーム９Ａ、アーム９Ｂを俯仰動させつつ、バケットシリンダ９Ｆによってバケット９Ｃをアーム９Ｂの先端部で回動させることにより、土砂等の掘削作業を行うものである。
【００２６】
１１は旋回フレーム４の前端側に左，右方向に揺動可能に設けられたスイングポストで、該スイングポスト１１は、作業装置９のブーム９Ａを旋回フレーム４に対して左，右方向に揺動可能に支持するものである。ここで、スイングポスト１１は、図３ないし図５に示すように、後述する上，下の取付部１２，１３、左，右の側板部１４，１５、シリンダブラケット１６等により構成されている。そして、このように構成されるスイングポスト１１は、例えば鋳造等の手段を用いて一体形成されている。
【００２７】
１２，１３は旋回フレーム４の前端側に後述の連結ピン１７を介して揺動可能に取付けられる上，下の取付部で、図３に示すように、上側取付部１２は旋回フレーム４の上側ボス部４Ｄに取付けられ、下側取付部１３は旋回フレーム４の下側ボス部４Ｅに取付けられるものである。
【００２８】
ここで、上側取付部１２は、略Ｕ字状に折曲げられた湾曲部１２Ａと、該湾曲部１２Ａから後方に延びて旋回フレーム４の上側ボス部４Ｄを上，下方向から挟込む上，下のフランジ部１２Ｂ，１２Ｃとにより構成されている。また、各フランジ部１２Ｂ，１２Ｃには、連結ピン１７が挿嵌されるピン挿嵌孔１２Ｄが穿設されている。
【００２９】
一方、下側取付部１３も、略Ｕ字状に折曲げられた湾曲部１３Ａと、該湾曲部１３Ａから後方に延びて旋回フレーム４の下側ボス部４Ｅを上，下方向から挟込む上，下のフランジ部１３Ｂ，１３Ｃとにより構成されている。また、各フランジ部１３Ｂ，１３Ｃには、連結ピン１７が挿嵌されるピン挿嵌孔１３Ｄが穿設され、湾曲部１３Ａには、後述のボルト２１が挿通されるボルト挿通孔１３Ｅが穿設されている。
【００３０】
１４は上，下の取付部１２，１３の左端側から前方に突出した左側板部で、該左側板部１４は、略三角形の板状に形成され、後述の右側板部１５と左，右方向で対面している。そして、左側板部１４の上端側には、作業装置９を構成するブーム９Ａの基端側がピン結合されるブーム用ボス部１４Ａが設けられ、左側板部１４の前端側には、ブームシリンダ９Ｄの基端側がピン結合されるブームシリンダ用ボス部１４Ｂが設けられている。
【００３１】
１５は上，下の取付部１２，１３の右端側から前方に突出した右側板部で、該右側板部１５は、略三角形の板状に形成され、左側板部１４と左，右方向で対面している。そして、左側板部１４と同様に、右側板部１５の上端側にはブーム用ボス部１５Ａが設けられ、右側板部１５の前端側にはブームシリンダ用ボス部１５Ｂが設けられている。
【００３２】
このように、左，右の側板部１４，１５は、上，下の取付部１２，１３を挟んで左，右方向で対面しつつ前方に突出しているため、下側取付部１３（湾曲部１３Ａ）の前側には左，右の側板部１４，１５によって囲まれた収容空間Ａが形成され、この収容空間Ａ内には後述の作業灯１９が収容される構成となっている。
【００３３】
１６，１６は左側板部１４の上，下方向の中間部位から左側方に突出した二又状のシリンダブラケットで、該各シリンダブラケット１６は、後述するスイングシリンダ１８のロッド１８Ｂがピン結合されるものである。
【００３４】
１７は旋回フレーム４の前端側にスイングポスト１１を取付ける連結ピンで、図３に示すように、連結ピン１７は、上側取付部１２のピン挿嵌孔１２Ｄ、旋回フレーム４の上側ボス部４Ｄ、下側取付部１３のピン挿嵌孔１３Ｄ、旋回フレーム４の下側ボス部４Ｅに挿嵌されるものである。これにより、スイングポスト１１は、旋回フレーム４の前端側に連結ピン１７を介して左，右方向に揺動可能に取付けられている。
【００３５】
１８は旋回フレーム４とスイングポスト１１との間に設けられたスイングシリンダで、該スイングシリンダ１８は、図１および図２に示すように、チューブ１８Ａのボトム側が旋回フレーム４の左縦板４Ｂ等に取付けられ、図３に示すように、ロッド１８Ｂの先端側がスイングポスト１１のシリンダブラケット１６にピン結合されている。そして、スイングシリンダ１８は、チューブ１８Ａに対してロッド１８Ｂを伸縮させることにより、スイングポスト１１を連結ピン１７を中心として左，右方向に揺動させるものである。
【００３６】
１９はスイングポスト１１の左，右の側板部１４，１５間に設けられた作業灯で、該作業灯１９は、図３および図６に示すように、内部に電球（図示せず）を収容した箱状に形成されている。そして、作業灯１９は、後述の作業灯支持具２０を用いて下側取付部１３の湾曲部１３Ａに取付けられることにより、左，右の側板部１４，１５によって囲まれた収容空間Ａ内に配置され、例えば夜間作業時に作業装置９の周囲や掘削場所に向けて光を照射することにより、作業装置９の周囲を明るく照らすものである。
【００３７】
２０はスイングポスト１１の左，右の側板部１４，１５間に位置して下側取付部１３の湾曲部１３Ａに取付けられた作業灯支持具で、該作業灯支持具２０は、作業灯１９をスイングポスト１１に対して上，下方向に揺動可能に支持するものである。ここで、作業灯支持具２０は、図６に示すように、細長い帯状の板材を略コ字状に折曲げることにより形成され、作業灯１９の左，右の側面部を支持する左，右のアーム部２０Ａと、該各アーム２０Ａ間を連結し左，右方向に延びる連結部２０Ｂとにより構成されている。
【００３８】
そして、連結部２０Ｂの左，右方向の中央部には、ナット２０Ｃが溶接等の手段を用いて固着され、図３に示すように、下側取付部１３のボルト挿通孔１３Ｅに挿通したボルト２１をナット２０Ｃに螺着することにより、作業灯支持具２０が下側取付部１３の湾曲部１３Ａに固定されている。
【００３９】
また、左，右のアーム部２０Ａの先端部には、作業灯１９の左，右の側面部に螺入されるねじ２０Ｄが設けられ、該ねじ２０Ｄを弛めることにより、図３中に実線および二点鎖線で示すように、作業灯１９をスイングポスト１１に対して上，下方向に揺動させることができる。これにより、作業灯１９からの光の照射方向を上，下方向に移動することができ、作業装置９の周囲や掘削場所等に照射される光の方向を任意に調整できる構成となっている。
【００４０】
本実施の形態による油圧ショベル１は上述の如き構成を有するもので、この油圧ショベル１は、下部走行体２によって作業場所まで自走した後、上部旋回体３を旋回させつつ作業装置９を俯仰動させることにより、土砂の掘削作業等を行う。
【００４１】
そして、この油圧ショベル１を用いて側溝掘り作業を行うときには、スイングシリンダ１８のロッド１８Ｂを伸縮させることにより、スイングポスト１１を連結ピン１７を中心として左，右方向に揺動させると共に、上部旋回体３をスイングポスト１１の揺動方向とは反対方向に旋回させる。これにより、スイングポスト１１によって支持された作業装置９が左，右方向に平行移動し、この作業装置９を用いて側溝掘り作業を行うことができる。
【００４２】
ここで、上述の如き側溝掘り作業を夜間に行うときには、作業灯支持具２０を介してスイングポスト１１に取付けた作業灯１９を点灯する。この場合、作業灯１９はスイングポスト１１の下側取付部１３に取付けられているので、スイングポスト１１を連結ピン１７を中心として左，右方向に揺動させたときには、作業灯１９もスイングポスト１１と一緒に左，右方向に揺動するようになる。
【００４３】
このように、本実施の形態によれば、作業灯１９をスイングポスト１１の揺動動作に確実に追従させることができるので、作業灯１９から照射される光によって、側溝掘り作業を行う作業装置９の周囲や掘削場所を確実に照らすことができ、夜間に側溝掘り作業等を行うときの作業性や安全性を高めることができる。
【００４４】
この場合、作業灯１９は、掘削される地面に近接したスイングポスト１１の下側取付部１３に取付けられているので、作業灯１９の光を無駄なく掘削場所に向けて照射することができる。従って、掘削場所の周囲を十分な光量をもって明るく照らすことができ、夜間作業の作業性や安全性を一層高めることができる。
【００４５】
しかも、スイングポスト１１の下側取付部１３に固定された作業灯支持具２０の左，右のアーム部２０Ａには、作業灯１９の左，右の側面部に螺入されるねじ２０Ｄが設けられ、このねじ２０Ｄを弛めることにより、図３に示す如く作業灯１９をスイングポスト１１に対して上，下方向に揺動させることができる。これにより、作業灯１９からの光の照射方向を上，下方向に任意に調整することができるので、例えば作業装置９によって掘削される掘削場所を的確に照らすことができる。
【００４６】
さらに、本実施の形態によれば、スイングポスト１１を構成する左，右の側板部１４，１５によって囲まれた収容空間Ａ内に作業灯１９を配置する構成としている。これにより、作業装置９のバケット９Ｃ等から落下した土砂等が作業灯１９に衝突するのを、左，右の側板部１４，１５によって阻止することができ、これら土砂等から作業灯１９を保護することができる。
【００４７】
次に、図７および図８は本発明の第２の実施の形態を示し、本実施の形態の特徴は、スイングポストを構成する左，右の側板部にそれぞれ作業灯を取付けたことにある。なお、本実施の形態では上述した第１の実施の形態と同一の構成要素に同一符号を付し、その説明を省略するものとする。
【００４８】
図中、３１はスイングポスト１１の左側板部１４に固定して設けられた左側面ブラケットで、該左側面ブラケット３１は略四角形の枠状に形成され、その内部に作業灯１９が取付けられるものである。
【００４９】
ここで、左側面ブラケット３１は、例えば帯状の板材を折曲げることにより形成され、上，下方向で対面しつつ左，右方向に延びる上板３１Ａ，下板３１Ｂと、左，右方向で対面しつつ上，下方向に延びる左側板３１Ｃ，右側板３１Ｄとを有している。そして、下板３１Ｂの右端側は、右側板３１Ｄから右方に突出して上方へと立上がる取付座３１Ｅとなり、該取付座３１Ｅに挿通したボルト３２をスイングポスト１１の左側板部１４に螺着することにより、左側面ブラケット３１が左側板部１４に固定されている。
【００５０】
そして、作業灯支持具２０によって支持された作業灯１９を左側面ブラケット３１の内側に配置した状態で、左側面ブラケット３１の下板３１Ｂにその下面側から上向きにボルト３３を挿通し、このボルト３３を作業灯支持具２０のナット２０Ｃに螺着することにより、作業灯１９が左側面ブラケット３１内に取付けられている。
【００５１】
このように、左側の作業灯１９は、その外側を左側面ブラケット３１によって取囲まれた状態でスイングポスト１１の左側板部１４に取付けられている。このため、掘削作業時の土砂等が作業灯１９に衝突するのを左側面ブラケット３１によって阻止することができ、該作業灯１９を保護することができる。
【００５２】
また、作業灯支持具２０を構成する左，右のアーム部２０Ａの先端部には、作業灯１９の左，右の側面部に螺入されるねじ２０Ｄが設けられている。従って、ねじ２０Ｄを弛めることにより、作業灯１９をスイングポスト１１に対して上，下方向（図８中の矢示Ｘ方向）に揺動させることができ、作業灯１９からの光の照射方向を上，下方向に調整することができる。
【００５３】
さらに、作業灯支持具２０は、ナット２０Ｃに螺着される１本のボルト３３によって左側面ブラケット３１の下板３１Ｂに固定されているので、このボルト３３を弛めることにより、作業灯１９をスイングポスト１１に対して左，右方向（図８中の矢示Ｙ方向）に揺動させることができ、作業灯１９からの光の照射方向を左，右方向にも調整することができる構成となっている。
【００５４】
３４はスイングポスト１１の右側板部１５に固定して設けられた右側面ブラケットで、該右側面ブラケット３４は、左側面ブラケット３１と同様に、上板３４Ａ、下板３４Ｂ、左，右の側板３４Ｃ，３４Ｄを有する略四角形の枠状に形成され、その内部に作業灯１９が配置されるものである。また、下板３４Ｂの左端側は、左側板３４Ｃから左方に突出して上方へと立上がる取付座３４Ｅとなり、該取付座３４Ｅに挿通したボルト３２をスイングポスト１１の右側板部１５に螺着することにより、右側面ブラケット３４が右側板部１５に固定されている。
【００５５】
そして、作業灯支持具２０によって支持された作業灯１９を右側面ブラケット３４の内側に配置した状態で、右側面ブラケット３４の下板３４Ｂにその下面側から上向きにボルト３３を挿通し、このボルト３３を作業灯支持具２０のナット２０Ｃに螺着することにより、作業灯１９が右側面ブラケット３４内に取付けられている。
【００５６】
このように、右側の作業灯１９は、その外側を右側面ブラケット３４によって取囲まれた状態でスイングポスト１１の右側板部１５に取付けられている。このため、掘削作業時の土砂等が作業灯１９に衝突するのを右側面ブラケット３４によって阻止することができ、該作業灯１９を保護することができる。
【００５７】
また、作業灯支持具２０を構成する左，右のアーム部２０Ａの先端部に設けられたねじ２０Ｄを弛めることにより、作業灯１９をスイングポスト１１に対して上，下方向（図８中の矢示Ｘ方向）に揺動させることができ、作業灯１９からの光の照射方向を上，下方向に調整することができる。
【００５８】
一方、作業灯支持具２０を右側面ブラケット３４に固定しているボルト３３を弛めることにより、作業灯１９をスイングポスト１１に対して左，右方向（図８中の矢示Ｙ方向）に揺動させることができ、作業灯１９からの光の照射方向を左，右方向に調整することができる構成となっている。
【００５９】
本実施の形態による油圧ショベルは、スイングポスト１１の左，右の側板部１４，１５にそれぞれ作業灯１９を取付ける構成としたもので、これら左，右の作業灯１９がスイングポスト１１の揺動に追従しつつ掘削場所に光を照射するという基本的作動については、上述した第１の実施の形態と格別差異はない。
【００６０】
然るに、本実施の形態によれば、スイングポスト１１の左，右の側板部１４，１５にそれぞれ作業灯１９を設ける構成としたので、これら左，右の作業灯１９からの光の照射範囲を拡大することができる。このため、各作業灯１９により充分な光量をもって掘削場所を広範囲に照らすことができ、夜間に側溝掘り等を行うときの作業性や安全性を大幅に高めることができる。
【００６１】
また、左側の作業灯１９は、左側面ブラケット３１によって外側から取囲まれた状態でスイングポスト１１の左側板部１４に取付けられ、右側の作業灯１９は、右側面ブラケット３４によって外側から取囲まれた状態でスイングポスト１１の右側板部１５に取付けられているので、掘削作業時の土砂等が各作業灯１９に衝突するのを左，右の側面ブラケット３１，３４によって阻止することができ、各作業灯１９を保護することができる。
【００６２】
なお、上述した第１の実施の形態では、上側取付部１２と下側取付部１３とを備えたスイングポスト１１を用い、このスイングポスト１１の下側取付部１３に作業灯１９を取付けた場合を例示している。しかし、本発明はこれに限るものではなく、例えば図９に示す変形例のようなスイングポスト４１に作業灯１９を取付ける構成としてもよい。
【００６３】
この場合、スイングポスト４１は、旋回フレーム４の前端側に連結ピン１７を介して揺動可能に取付けられる取付部４２と、左，右の側板部１４，１５とを備え、取付部４２は、上，下方向に延びる縦板部４２Ａと、該縦板部４２Ａの上，下方向の両端側から後方に延びた上，下のフランジ部４２Ｂ，４２Ｃとにより構成されている。そして、取付部４２を構成する縦板部４２Ａの下端側に、作業灯１９を取付ける構成としてもよい。
【００６４】
また、上述した第１の実施の形態では、スイングポスト１１の左，右の側板部１４，１５間に配置した作業灯１９を、下側取付部１３の湾曲部１３Ａに取付けた場合を例示している。しかし、本発明はこれに限らず、例えば左側板部１４のうち右側板部１５と対面する内側面に作業灯１９を取付けてもよく、これとは逆に右側板部１５の内側面に作業灯１９を取付けてもよい。
【００６５】
さらに、上述した実施の形態では、建設機械としてクローラ式の油圧ショベル１を例示したが、本発明はこれに限らず、例えばホイール式の油圧ショベル、油圧クレーン等の他の建設機械に広く適用することができる。
【図面の簡単な説明】
【００６６】
【図１】本発明の第１の実施の形態が適用された油圧ショベルを示す正面図である。
【図２】作業装置等を取外した油圧ショベルを左側方から拡大してみた左側面図である。
【図３】図１中のスイングポスト、作業灯等の要部を拡大して示す一部破断の正面図である。
【図４】スイングポスト、作業灯を図３中の矢示IV−IV方向からみた左側面図である。
【図５】スイングポストを単体で示す斜視図である。
【図６】作業灯、作業灯支持具を拡大して示す斜視図である。
【図７】第２の実施の形態によるスイングポスト、左，右の側面ブラケット、作業灯を示す斜視図である。
【図８】スイングポスト、左，右の側面ブラケット、作業灯を図４と同様位置からみた左側面図である。
【図９】第１の実施の形態によるスイングポストの変形例を示す図３と同様位置からみた一部破断の正面図である。
【符号の説明】
【００６７】
２  下部走行体
３  上部旋回体
４  旋回フレーム
９  作業装置
１１，４１  スイングポスト
１２  上側取付部（取付部）
１３  下側取付部（取付部）
１４  左側板部
１５  右側板部
１７  連結ピン
１８  スイングシリンダ
１９  作業灯
２０  作業灯支持具
３１  左側面ブラケット
３４  右側面ブラケット
４２  取付部
【図１】
2006037362.tif 000003
【図２】
2006037362.tif 000004
【図３】
2006037362.tif 000005
【図４】
2006037362.tif 000006
【図５】
2006037362.tif 000007
【図６】
2006037362.tif 000008
【図７】
2006037362.tif 000009
【図８】
2006037362.tif 000010
【図９】
2006037362.tif 000011